(57)【特許請求の範囲】
【請求項１】
金属製の本体を備え、該本体には、回路部を有する絶縁性の操作部が設けられ、該操作部は、回動可能な絶縁性の操作部カバーを有し、該操作部カバーの表面が導電性パネルによって覆われた加熱調理器であって、
前記操作部カバーには、前記導電性パネルと接触する導通子を設け、該操作部カバーを、前記操作部を覆う閉止位置に回動させた状態で、前記導通子が前記本体に電気的に接続された導電性部材と接触することによって、前記導電性パネルと前記本体とが、前記導通子および前記導電性部材を介して電気的に接続されるものであり、
前記操作部は、前記導電性部材である支軸を介して回動することで前記本体から引き出し収納自在に構成された開閉式であり、
前記導通子がＬ字状に折曲された金属片から成り、前記Ｌ字状に折曲された金属片の一方片が、前記操作部カバーと前記導電性パネルとの間に挟み込まれ、
前記金属片の他方片が、前記操作部カバーを前記閉止位置に回動させた状態で、前記支軸に向けて突出されて接触する、
ことを特徴とする加熱調理器。
【請求項２】
前記導通子の前記他方片が、前記一方片を軸心として回動することを牽制する導通子回動牽制手段を備える、
請求項１に記載の加熱調理器。
【請求項３】
前記操作部カバーは、前記操作部が前記本体に収納された状態で操作部の前面を覆う前記閉止位置と前記操作部の前面を開放した開放位置とに亘って回動可能であり、
前記導電性パネルが、前記操作部カバーの表面を覆う化粧パネルである、
請求項２に記載の加熱調理器。
【発明の詳細な説明】
【技術分野】
【０００１】
本発明は、加熱調理器に関し、更に詳しくは、静電気対策に特徴を有する加熱調理器に関する。
【背景技術】
【０００２】
近年の加熱調理器は、コンピュータ制御を行う高機能のものが広く普及しつつあり、かかる加熱調理器では、樹脂等からなる絶縁性の操作パネルに、高級感等を与えるために、導電性の化粧パネルが取付けられたものがある。ユーザが、静電気を帯びた指で前記化粧パネルに触れた際に、化粧パネルの端面と金属性の本体との間で放電が発生し、この放電で発生したノイズが制御回路等の回路部に影響を与え、誤作動や誤表示などのトラブルを引き起こすおそれがあり、このような不具合を未然に回避するための静電気対策が必要となる。
【０００３】
調理器における静電気対策としては、例えば、特許文献１に開示されているように、操作パネルにおける導電性塗料塗布部分とキー入力部のアース部とを、可撓性を有する電線などで導通接続して、指から導電性塗料塗布部分に伝わった電荷をアース部に流すことが提案されている。
【先行技術文献】
【特許文献】
【０００４】
【特許文献１】特開２００２−３９５３７号公報
【発明の概要】
【発明が解決しようとする課題】
【０００５】
しかしながら、可撓性を有する電線を用いる構造では、電線の両端を所定部位に接続するためのネジなどの部品が必要になると共に、その接続操作が必要となり、部品点数や組立て工数が増加してコスト高の一因となる。また、電線の接続箇所において、容易に分離や接続が行えるようにすることが要求される場合には、そのための構造が複雑になり、一層のコスト高を招く。
【０００６】
本発明は、このような実情に着目してなされたものであって、簡単かつ安価に製作できる構造で、静電気の放電に起因する回路部の不具合の発生を未然に回避することができる加熱調理器を提供することを目的とする。
【課題を解決するための手段】
【０００７】
上記目的を達成するために、本発明では、次のように構成している。
【０００８】
（１）本発明は、金属製の本体を備え、該本体には、回路部を有する絶縁性の操作部が設けられ、該操作部は、回動可能な絶縁性の操作部カバーを有し、該操作部カバーの表面が導電性パネルによって覆われた加熱調理器であって、
前記操作部カバーには、前記導電性パネルと接触する導通子を設け、該操作部カバーを、前記操作部を覆う閉止位置に回動させた状態で、前記導通子が前記本体に電気的に接続された導電性部材と接触することによって、前記導電性パネルと前記本体とが、前記導通子および前記導電性部材を介して電気的に接続されるものであり、
前記操作部は、前記導電性部材である支軸を介して回動することで前記本体から引き出し収納自在に構成された開閉式であり、
前記導通子がＬ字状に折曲された金属片から成り、前記Ｌ字状に折曲された金属片の一方片が、前記操作部カバーと前記導電性パネルとの間に挟み込まれ、前記金属片の他方片が、前記操作部カバーを前記閉止位置に回動させた状態で、前記支軸に向けて突出されて接触する。
【００１０】
本発明によると、ユーザが、静電気を帯びた指で操作部を覆う操作部カバーの表面の導電性パネルに触れると、静電気は、導電性パネルから導通子及び導電性部材を介して本体へと比較的低インピーダンスの経路で流れることになるので、空間距離や沿面距離が短い部分、例えば導電性パネルの端面とその近傍の本体との間で静電気の放電が生じるといったことを防止することができ、これによって制御回路等の回路部の誤動作を効果的に防止できる。しかも、本体に備えられ、かつ、本体に電気的に接続されている導電性部材を利用することができるので、導通子を追加するという簡単かつ安価な構造で、静電気の放電に起因する回路部の誤動作を効果的に防止できる。また、開閉式の操作部を回動自在に支持する支軸を、本体に電気的に接続されている導電性部材として有効に活用して、簡単かつ安価な構造で導電性パネルから本体に至る静電気を流す低インピーダンスの経路を形成することができる。更に、Ｌ字状に折曲された金属片からなる導通子を、その一方片を操作部カバーと導電性パネルとで挟み込んで装着保持することができるので、ネジなどの部品やネジ込み操作などの手間のかかる工程が不要となり、導通子の装着を簡単かつ安価に行うことができる。
【００１１】
（２）本発明の好ましい実施態様では、前記導通子の前記他方片が、前記一方片を軸心として回動することを牽制する導通子回動牽制手段を備える。
【００１２】
この実施態様によると、導通子の姿勢を常に安定維持して、支軸に的確に接触導通させることができる。
【００１３】
（３）上記（２）の実施態様では、前記操作部カバーを、前記操作部が前記本体に収納された状態で操作部の前面を覆う前記閉止位置と前記操作部の前面を開放した開放位置とに亘って回動可能とし、前記導電性パネルが、前記操作部カバーの表面を覆う化粧パネルとしてもよい。
【００１４】
この実施態様によると、開閉式の操作部を本体に収納した状態では、操作部カバーを閉止位置に回動させておくことによって、操作部の前面は、操作部カバーの化粧パネルで覆われることになり、化粧パネルの有する高級感や清潔感等の優れた美観を呈することができる。
【発明の効果】
【００１９】
このように本発明によれば、本体に備えられ、該本体に電気的に接続されている導電性部材を利用し、導通子を追加するという比較的簡単かつ安価な構造によって、ユーザが、静電気を帯びた指で操作部カバーの表面の導電性パネルに触れたときには、静電気を、導電性パネルから導通子及び導電性部材を介して本体へと比較的低インピーダンスの経路で流すことができるので、空間距離や沿面距離が短い部分、例えば導電性パネルの端面とその近傍の本体との間で静電気の放電が生じるといったことを防止することができ、制御回路等の回路部の誤動作を効果的に防止することができる。
【図面の簡単な説明】
【００２０】
【図１】本発明の一実施形態に係る加熱調理器の全体構成を示す斜視図
【図２】同上の加熱調理器で、パネルカバーが開放位置にある状態で天板を省略した斜視図
【図３】同上の加熱調理器がキッチンキャビネットに設置され、パネルカバーが閉止位置にある状態を示す斜視図
【図４】同上の加熱調理器で、パネルカバーが閉止位置と開放位置との間にある状態を示す斜視図
【図５】同上の加熱調理器で、パネルカバーが閉止位置と開放位置との間にあり開閉式の操作部が収納位置にある状態を示す斜視図
【図６】同上の加熱調理器で、パネルカバーが閉止位置にあり開閉式の操作部が引出し位置にある状態を示す斜視図
【図７】同上の加熱調理器で、パネルカバーが閉止位置と開放位置との間にある状態を示す拡大斜視図
【図８】同上の加熱調理器がキッチンキャビネットに設置された状態を示す斜視図
【図９】同上の加熱調理器がキッチンキャビネットに設置され、パネルカバーが開放位置にあり天板を装着する前の状態を示す斜視図
【図１０】開閉式の操作部と電池収納部を背面側から見た斜視図
【図１１】開閉式の操作部と電池収納の背面図
【図１２】図１１におけるＢ−Ｂ線断面図
【図１３】図１２におけるＣ部の拡大断面図
【図１４】開閉式の操作部に備えるパネルカバーを開放した状態を示す斜視図
【発明を実施するための形態】
【００２１】
以下、本発明の実施の形態について図面を参照しながら説明する。なお、この実施の形態によって本発明が限定されるものではない。
【００２２】
図１は、本発明を適用した加熱調理器の一例であるドロップインコンロＡの全体構成を示すものであり、図８は上記ドロップインコンロＡがキッチンキャビネット２３に設置された状態を示す。
【００２３】
図１に示すように、ドロップインコンロＡは、３つのコンロバーナ１ａ，１ｂ，１ｃ、及び、グリルバーナ（図示せず）を内蔵したグリル庫６を備えたビルトインタイプのガスコンロにて構成されている。３つのコンロバーナ１ａ，１ｂ，１ｃは、高火力バーナ１ａと、小バーナ１ｂと、高火力バーナ１ｃとによってダブル高火力仕様に構成されている。
【００２４】
また、コンロ奥端の上面に、グリル庫６の燃焼排ガスを排気するためのグリル排気口４が形成されると共に、天板２にてコンロ上面が覆われており、この天板２の上部に、各コンロバーナ１ａ，１ｂ，１ｃに対応して被加熱物（鍋など）を受け止め支持する五徳３が載置支持されている。
【００２５】
図８に示すように、ドロップインコンロＡの本体１はキッチンキャビネット２３の矩形の上面開口部７ａ（図３参照）から落とし込まれて設置されている。また、キッチンキャビネット２３の上面開口部７ａよりも大きい天板２で本体１の上部開口が覆われている。また、図２、図３に示すように、キッチンキャビネット２３の横長矩形の前面開口部７ｂには、本体前面の前面操作パネル部Ｐを臨ませて設置されている。前面操作パネル部Ｐは、グリル庫６の左右に設けられており、右上に位置する操作部Ｓａと、左上に位置する電池収納部９と、右下および左下に位置する２つの開閉式の操作部Ｓｂ，Ｓｃとを備えている。開閉式の操作部Ｓｂ，Ｓｃは、本体１から手前に引き出し回動可能である。これら操作部Ｓａ，Ｓｂ，Ｓｃ及び電池収納部９の前面が、４枚のパネルカバー１０，１１，１２，１３（図１参照）によって覆われている。これらパネルカバー１０，１１，１２，１３は、それぞれ縦向きの支点ｘ0，ｘ1，ｘ2，ｘ3を中心に水平回動して開閉できるようになっている。図２では、前記４枚のパネルカバー１０，１１，１２，１３が開放されて、右上の操作部Ｓａ、左上の電池収納部９、右下および左下の２つの開閉式の操作部Ｓｂ，Ｓｃが露出した状態を示している。
【００２６】
また、前面操作パネル部Ｐの左右方向における中央付近には、上記グリル庫６への調理物の出し入れを行うためのグリル用開口６ａ（図４）が備えられている。
【００２７】
右上に位置する操作部Ｓａは、各コンロバーナ１ａ，１ｂ，１ｃの点火及び消火や火力調節を行うためのものであり、操作パネル８が前面からパネルカバー１０によって覆われている。
【００２８】
右下に位置する操作部Ｓｂは、手前に引き出し回動可能な開閉式であって、その下端部における水平支点ｙ1を中心にしてパネルカバー１１と一体に前後回動可能に支持されており、操作部Ｓｂを手前に引き出し回動することによって、図６に示すようにコンロ用の設定入力パネル５０を露出させることができる。この設定入力パネル５０を操作して、各コンロバーナ１ａ，１ｂ，１ｃの各種の設定を行うことができる。この操作部Ｓｂを収納回動した状態では、その前面がパネルカバー１１で覆われている。
【００２９】
左上に位置する電池収納部９は、電池を本体１内に収納するための開口１４を備え、その前面がパネルカバー１２で覆われている。
【００３０】
左下に位置する操作部Ｓｃは、手前に引き出し回動可能な開閉式であって、その下端部における水平支点ｙ3を中心にしてパネルカバー１３と一体に前後回動可能に支持されており、操作部Ｓｃを手前に引き出し回動することによって、図６に示すようにグリル用の設定入力パネル６０を露出させることができる。この設定入力パネル６０を操作して、グリルバーナに対する点火及び消火や火力調整の設定を行うことができる。この操作部Ｓｃを収納回動した状態では、その前面がパネルカバー１３で覆われている。この開閉式の操作部Ｓｃ及び同じく開閉式の操作部Ｓｂには、後述のように静電気対策が講じられている。
【００３１】
右上に位置する操作部Ｓａの構成について説明する。この操作部Ｓａは、パネルカバー１０が前面パネル８を覆った状態において、パネルカバー１０に形成した挿通孔３９（図４）を通して裏面側から挿通する状態で円筒状の回転操作ノブ８０（図４、図７）が設けられている。そして、この回転操作ノブ８０は、その回転軸心方向（前後方向）の移動により、本体内に備える点消火スイッチ（図示せず）を、消火指令を指令する消火指令状態に操作する消火指令用の押込み位置と、その押込み位置よりも前方に突出して上記点消火スイッチ（図示せず）を点火指令を指令する点火指令状態に操作する点火指令用の突出位置とに切り換え自在に構成され、且つ、上記突出位置にて前記燃焼量を調整すべく回転操作できるよう構成されている。
【００３２】
詳述すると、上記回転操作ノブ８０は、押し操作される毎に回転軸心方向に移動して、図示しない位置保持機構によって、パネルカバー１０の前面とほぼ面一になる押込み位置と、それより前方に突出する突出位置とに切り換え自在に構成され、回転操作ノブ８０が突出位置に切り換えられているときに、正転方向及び逆転方向の夫々にその軸心周りで回動操作可能となるように構成されている。そして、回転操作ノブ８０が押し込み位置に切り換えられると、それに伴って点消火スイッチ（図示せず）がＯＦＦ（オフ）状態となり、回転操作ノブ８０が突出位置に切り替えられると、それに伴って点消火スイッチ（図示せず）がＯＮ（オン）状態となるように連動して切り換わる構成となっている。
【００３３】
上記点消火スイッチ（図示せず）の切り換え信号は燃焼制御部に入力されており、燃焼制御部は、この点消火スイッチ（図示せず）がＯＮ状態に切り換わると対応するバーナに対する点火作動を開始し、ＯＦＦ状態に切り換わると対応するバーナの燃焼作動を停止するように構成されている。
【００３４】
なお、本体１の内部には、回転操作ノブ８０の回転操作に伴って、その操作位置に応じたパルス信号を燃焼制御部に出力するロータリーエンコーダ（図示せず）が設けられている。なお、このロータリーエンコーダの操作軸と回転操作ノブ８０とは、一体回動自在に且つ軸心方向での相対移動を許容する状態で接続されている。
【００３５】
ここで、図２〜図４によりドロップインコンロＡに備えられたパネルカバー１０，１１，１２，１３を説明すると、各パネルカバー１０，１１，１２，１３には、前面操作パネル部Ｐを覆ったときに、キッチンキャビネット２３の前面開口部７ｂと本体１の側方との隙間１８（図９）を覆う延長部１０ａ，１１ａ，１２ａ，１３ａをそれぞれ備えている。
【００３６】
操作部Ｓａを覆う右上のパネルカバー１０の支点ｘ0、および、設定入力パネル５０の前面を覆う右下のパネルカバー１１の支点ｘ1は、それぞれの左端に設けてあり、また、電池収納部９を覆う左上のパネルカバー１２の支点ｘ2、および、設定入力パネル６０を覆う左下のパネルカバー１３の支点ｘ3は、それぞれの右端に設けてある。つまり、これらパネルカバー１０，１１，１２，１３は、グリル用開口６ａの前側にまで折込み回動できるようになっている。
【００３７】
図７に示すように、右上のパネルカバー１０には、上記回転操作ノブ８０を裏面から挿通するための３つの挿通孔３９が左右に並列して設けられているのに加えて、パネルカバー１０が操作パネル８を覆った状態において、操作パネル８に備えた自動復帰型の電源スイッチ４０をパネルカバー１０の前面から操作自在にするための電源スイッチボタン４１を備えている。この電源スイッチボタン４１は、パネルカバー１０が操作パネル８を覆った状態において、前後に移動自在に電源スイッチ４０の前面頂部に当接し、パネルカバー１０が操作パネル８を覆った状態で電源スイッチボタン４１を押し操作する毎に電源スイッチ４０を繰り返しＯＮ／ＯＦＦ操作ができるように構成されている。
【００３８】
さらに、操作部Ｓａの操作パネル８には自動復帰型の押し操作式のチャイルドロックスイッチ２０が設けられており、他方、パネルカバー１０には、パネルカバー１０が操作パネル８を覆った状態において上記チャイルドロックスイッチ２０をパネルカバー１０の前面から操作自在にするためのチャイルドロックスイッチボタン２１を備える。このチャイルドロックスイッチボタン２１は、パネルカバー１０が操作パネル８を覆った状態において、前後に移動自在に上記チャイルドロックスイッチ２０の前面頂部に当接し、チャイルドロックスイッチボタン２１の押し操作によりチャイルドロックスイッチ２０のＯＮ／ＯＦＦ操作ができるように構成されている。
【００３９】
上記操作パネル８における回転操作ノブ８０の上部には、各コンロバーナ１ａ，１ｂ，１ｃの火力をそれぞれ表示するための火力表示ＬＥＤ３０が配設されており、パネルカバー１０には、パネルカバー１０が操作パネル８を覆った状態において上記火力表示ＬＥＤ３０の点灯／消灯をパネルカバー１０の前面から視認するための導光部３１を備える。
【００４０】
次に、上記のように構成されたドロップインコンロＡをキッチンキャビネット２３に組み付ける手順を説明する。
【００４１】
組み付けに際しては、図２に示すように、先ず、全てのパネルカバー１０，１１，１２，１３を、グリル用開口６ａ側に折込み回動した状態で、図示しない固定用テープによって仮止め拘束し、前面視において本体１の外形領域内に全パネルカバー１０，１１，１２，１３が収まるようにしておく。
【００４２】
パネルカバー１０，１１，１２，１３が上記のようにグリル側に折込み回動した状態にあると、本体１の前面をキッチンキャビネット２３の上面開口部７ａから挿入するときにパネルカバー１０，１１，１２，１３がキッチンキャビネット２３の上面開口部７ａの周縁と干渉せず、無理なく本体１をキッチンキャビネット２３の上面開口部７ａから挿入することができ、その後、本体１の上部開口周縁に備えられたフランジ部１ｆが、キッチンキャビネット２３の上面開口部７ａ周縁に係止して、前面操作パネル部Ｐをキッチンキャビネット２３の前面開口部７ｂに臨ませた図９に示す状態となる。
【００４３】
キッチンキャビネット２３の前面開口部７ｂの前面視における開口寸法を前面操作パネル部Ｐの前面視寸法と同じ寸法にすると、前面操作パネル部Ｐをキッチンキャビネット２３の前面開口部７ｂに挿通する際に、前面操作パネル部Ｐとキッチンキャビネット２３の前面開口部７ｂの周縁とが干渉しやすく、施工が困難となるため、キッチンキャビネット２３の前面開口部７ｂの前面視における開口寸法は前面操作パネル部Ｐの前面視寸法より十分大きくする必要があるため、前面操作パネル部Ｐをキッチンキャビネット２３の前面開口部７ｂに臨ませた図９の状態においては、前面操作パネル部Ｐの周縁とキッチンキャビネット２３の前面開口部７ｂの周縁との間には隙間が生じることになる。
【００４４】
この図９の状態において、前面操作パネル部Ｐの下方の隙間は前面操作パネル部Ｐが存在するため目立ちにくいものであり、前面操作パネル部Ｐの上方の隙間はキッチンキャビネット２３上面において前方に突出するカウンタートップ前端２３ａが存在するため目立ちにくいものであるが、前面操作パネル部Ｐの両側方の隙間１８は目立ったものとなっており、以下に示す手順で前面操作パネル部Ｐの両側方の隙間１８を塞ぐ工程を行うことですっきりとした外観を保つことができる。
【００４５】
すなわち、図９に示す状態から、図示しない固定用テープを取り除いて仮止め拘束を解除した後、各支点ｘ0，ｘ1，ｘ2，ｘ3を中心に各パネルカバー１０，１１，１２，１３を閉止位置まで回動させることで、それぞれの延長部１０ａ，１１ａ，１２ａ，１３ａによって前面操作パネル部Ｐの両側方の隙間１８が覆われて、キッチンキャビネット２３の前面とパネルカバー１０，１１，１２，１３の前面とが一体感を持ったすっきりとした外観を保つ図３の状態となる。なお、パネルカバー１０，１１，１２，１３が、グリル側に折込み回動した状態から閉止位置に至る途中の状態では、図４に示すようにパネルカバー１０，１１，１２，１３が本体１の前方に突出した状態を経由することになる。
【００４６】
その後、天板２を本体１に装着することでキッチンキャビネット２３へのドロップインコンロＡの組込みが完了する。
【００４７】
なお、図５に示すように、パネルカバー１１の背面には係止爪１５ｂを突設すると共に、操作部Ｓｂには係止爪１５ｂと係合する穴部１５ａが穿設してあり、パネルカバー１１が上記閉止位置に回動した時に係止爪１５ｂが穴部１５ａと係合して閉じ状態に保持され、開放位置に向かって不用意に回動することがないよう構成してある。そして、係止爪１５ｂが穴部１５ａと係合した閉止状態においても、少し強い目の力を以って手前に引けば、パネルカバー１１を開放位置に向かって回動させることが可能である。なお、他のパネルカバー１０，１２，１３も上記と同様な構造によって閉止位置に保持できると共に、少し強い目の力を以って手前に引いて開放回動させることができる。
【００４８】
上記した加熱調理器においては、スイッチ用及び表示用の回路部を備えた左右の開閉式の操作部Ｓｂ，Ｓｃには、静電気対策が講じられており、その構造を以下に説明する。なお、左右の操作部Ｓｂ，Ｓｃにおける静電気対策構造は基本的に同様であるので、左側の操作部Ｓｃを例にとって、その構造を図１０〜図１４に基づいて説明する。
【００４９】
図１０は、開閉式の操作部Ｓｃと電池収納部９を背面側から見た斜視図、図１１は、開閉式の操作部Ｓｃと電池収納部９の背面図、図１２は、図１１におけるＢ−Ｂ線断面図、図１３は、図１２におけるＣ部の拡大断面図、図１４は、開閉式の操作部Ｓｃに備えられるパネルカバー１３を開いた状態を示す斜視図である。
【００５０】
この操作部Ｓｃに備えられた操作部カバーとしてのパネルカバー１３は、絶縁性の樹脂材からなり、その前面に沿って、例えばステンレス鋼板からなる導電性パネルとしての化粧パネル９０が嵌め込み止着されている。
【００５１】
操作部Ｓｃにおける設定用入力パネル６０は、その操作面の裏面側に図示されていないスイッチ用及び表示用の回路部が組込み装備されており、樹脂成型された絶縁性のパネルケース９１に取り付けられている。このパネルケース９１の右端には、図１４に示すように、パネルカバー１３がクランク形の支軸９２を介して上記支点ｘ3を中心として水平回動可能に枢着されている。
【００５２】
また、上記した右下のパネルカバー１１と同様に、パネルカバー１３の内面から突設された上下一対の係止爪１５ｂをパネルケース９１の左端に形成した上下の穴部１５ａに係止連結することで、パネルカバー１３をパネルケース９１に一体連結した閉止状態とすることができると共に、パネルカバー１３を手前に強く引いて係止爪１５ｂを穴部１５ａから外すことで、パネルカバー１３を、パネルケース９１に対して回動開放することができるようになっている。なお、図１４では、パネルケース９１は、本体１から分離された状態で示しているので、本体１に装着した状態で構成される上下の前記穴部１５ａは、その一部のみ示されている。
【００５３】
上記パネルケース９１における背面側の下端部には、複数の軸支部９４が突設され、これら軸支部９４に亘って左右水平に支架した支軸９５を、本体１側に備えられた図示されていない軸支部に支持することで、パネルケース９１を横向きの水平支点ｙ3を中心にして一定角度範囲で前後回動可能に支持するよう構成されている。これによって、パネルケース９１に取付けられている設定用入力パネル６０を、本体１から手前に引き出し収納自在としている。
【００５４】
支軸９５は、例えば鉄棒材からなる導電性部材であり、本体１側に備えられた図示されていない金属製の軸支部等を介して金属製の本体１に電気的に接続されている。
【００５５】
また、パネルカバー１３には、カバー表裏に露呈して導通子９６が貫通装備されている。この導通子９６は、鉄あるいは銅などの金属棒材をＬ形に屈折した金属片で構成されており、そのＬ形の縦向き辺（一辺）である一方片９６ａがカバー前面に位置するように、化粧パネル９０が装着されない状態のパネルカバー１３の前面から装着孔９７（図１３）に挿入し、その後、化粧パネル９０を装着固定することで、導通子９６の縦向き辺９６ａがパネルケース９１と化粧パネル９０とで挟持され、これによって導通子９６の抜け出しが阻止されるようになっている。
【００５６】
ここで、パネルカバー１３の裏面に貫通された導通子９６の前後向き辺（他辺）である他方片９６ｂは、パネルカバー１３の裏面に突設された突起９８において下向きに露出支持されると共に、導通子９６の露出端部が突起９８に形成された下向きの溝９９（図１３）に係入されている。これによって、導通子９６が一方片９６ａを軸心にして回動するのを規制して、導通子９６の他方片９６ｂが一定の前後向き姿勢で下向きに露出した状態を維持する導通子回動牽制手段が構成されている。
【００５７】
そして、パネルカバー１３がパネルケース９１に沿った姿勢に係止連結された閉止状態において、上記突起９８がパネルケース９１の下端に形成されている開口１００を通ってケース裏面側に突出し、パネルケース９１に支架された支軸９５に導通子９６の露出端部が上方から接触するようになっている。
【００５８】
従って、導電性の化粧パネル９０は、導通子９６、および、導電性部材である支軸９５を介して本体１に電気的に接続されることになり、ユーザが静電気に帯電した手指で化粧パネル９０に触れると、ユーザの手指から化粧パネル９０に流れた電荷は、速やかに本体１に流され、いわゆるボディアースされることになり、放電の発生、および、それに伴うノイズの発生が防止される。
【００５９】
因みに、導通子９６を設ける上記の静電気対策を講じなかった場合には、ユーザが、静電気を帯びた指で化粧パネル９０に触れると、空間距離や沿面距離が短い部分、例えば化粧パネル９０の端面から支軸９５への放電や化粧パネル９０の端面からその近傍の本体への放電が生じ、大きなインパルスノイズが発生し、設定用入力パネル６０の背面側の図示しないスイッチ用や表示用の回路部に影響を与え、誤作動や誤表示などのトラブルを引き起こすことになる。
【００６０】
これに対して、この実施形態では、本体１に電気的に接続された支軸９５を利用して、導通子９６を追加するという比較的簡単かつ安価な構造によって、ユーザが静電気に帯電した手指で化粧パネル９０に触れると、静電気は、化粧パネル９０から導通子９６及び支軸９５を介して本体１へと低インピーダンス経路で流れるので、化粧パネル９０の端面から支軸９５への放電や化粧パネル９０の端面からその近傍の本体への放電が生じることがなく、スイッチ用や表示用の回路部の誤動作を効果的に防止できる。
【００６１】
なお、開閉式でない右上の操作部Ｓａについては、開閉式の操作部Ｓｂ，Ｓｃのような回動の支軸９５を設ける必要がなく、放電を生じるような空間距離や沿面距離の短い部分がないので、静電気対策は、講じていない。
【００６２】
（他の実施形態）
本発明は、以下のような形態で実施することもできる。
【００６３】
（１）導通子９６として、鉄板あるいは銅板からなる細長い帯状の金属片をＬ形に屈折したものを利用することもできる。
【００６５】
（２）上記実施形態では、加熱部としてガスバーナを用いたが、加熱部はガスバーナに限定されるものではなく、加熱部として、電気ヒータ、ＩＨヒータ等を用いるなど、本発明は、種々方式の加熱部を用いた加熱調理器に適用可能である。
【産業上の利用可能性】
【００６６】
本発明は、本体１に電気的に接続された支軸９５を有効に利用し、導通子９６を設けるという比較的簡単かつ安価な構造によって、ユーザが、静電気に帯電した手指で化粧パネル９０に触れたときに、静電気を、化粧パネル９０から導通子９６及び支軸９５を介して本体１へ逃がす低インピーダンスの経路を形成するので、化粧パネル９０の端面から支軸９５への放電や化粧パネル９０の端面からその近傍の本体への放電が生じることがなく、スイッチ用や表示用などの回路部の誤動作を効果的に防止できるものであり、導電性の化粧パネルを備えたパネルカバーが装備された一般家庭用の加熱調理器のみならず、業務用の加熱調理器にも適用することができる。
【符号の説明】
【００６７】
１            本体
２            天板
６            グリル庫
７ａ          上面開口部
７ｂ          前面開口部
１０          パネルカバー
１０ａ        延長部
１１          パネルカバー（操作部カバー）
１１ａ        延長部
１２          パネルカバー
１２ａ        延長部
１３          パネルカバー（操作部カバー）
１３ａ        延長部
１８          側方の隙間
２３          キッチンキャビネット
５０          コンロ用の設定入力パネル
６０          グリル用の設定入力パネル
９０          化粧パネル（導電性パネル）
９５          導電性部材（支軸）
９６          導通子
９６ａ        導通子の一方片
９６ｂ        導通子の他方片
Ａ            ドロップインコンロ
Ｓａ          操作部
Ｓｂ，Ｓｃ    操作部（開閉式）
【図１】
0005804845.tif 000002
【図２】
0005804845.tif 000003
【図３】
0005804845.tif 000004
【図４】
0005804845.tif 000005
【図５】
0005804845.tif 000006
【図６】
0005804845.tif 000007
【図７】
0005804845.tif 000008
【図８】
0005804845.tif 000009
【図９】
0005804845.tif 000010
【図１０】
0005804845.tif 000011
【図１１】
0005804845.tif 000012
【図１２】
0005804845.tif 000013
【図１３】
0005804845.tif 000014
【図１４】
0005804845.tif 000015